(57)【要約】【課題】デジタル放送を受信する受信装置において、電源が投入された際に利用者の視聴履歴に基づいたチャンネルの番組を出力し、番組選択やチャンネル切り替えの動作を少なくすることのできる受信装置を提供する。【解決手段】受信装置は、放送番組を受信する受信手段と、前記放送番組の視聴履歴情報を記憶する視聴履歴記憶手段と、電源が投入された際に出力される番組のチャンネルを前記視聴履歴情報に基づいて１個選択するチャンネル選択手段とを有する。【選択図】図１
2012138852.tif 000002
【特許請求の範囲】
【請求項１】
放送番組を受信する受信手段と、
前記放送番組の視聴履歴情報を記憶する視聴履歴記憶手段と、
電源が投入された際に出力される番組のチャンネルを前記視聴履歴情報に基づいて１個選択するチャンネル選択手段と
を有する受信装置。
【請求項２】
前記視聴履歴記憶手段は、第１の所定時間連続して同じチャンネルを選択していた場合に該チャンネルの視聴頻度回数を１回加算する請求項１に記載の受信装置。
【請求項３】
前記視聴履歴記憶手段は、１日を第２の所定時間の間隔で複数の時間帯に分割し、前記時間帯毎に前記視聴頻度回数を加算する請求項２に記載の受信装置。
【請求項４】
前記視聴履歴記憶手段は、連続した２個の前記時間帯に跨って前記第１の所定時間連続してチャンネルを選択していた場合に連続した２個の前記時間帯の両方において前記視聴頻度回数を１回加算する請求項３に記載の受信装置。
【請求項５】
前記第１の所定時間は、前記第２の所定時間以下である請求項３に記載の受信装置。
【請求項６】
前記視聴履歴記憶手段は、前記視聴履歴情報をリセットする機能を有する請求項１に記載の受信装置。
【請求項７】
前記チャンネル選択手段は、前記放送番組の放送種類毎の視聴頻度平均値を算出する請求項１に記載の受信装置。
【請求項８】
前記チャンネル選択手段は、前記視聴頻度平均値の大きい前記放送種類を選択し、前記視聴頻度平均値の大きい前記放送種類の中から前記視聴頻度回数の大きい前記チャンネルを選択する請求項７に記載の受信装置。
【請求項９】
前記チャンネル選択手段は、前記視聴頻度平均値の大きい前記放送種類を選択する際、前記視聴頻度平均値が同一の前記放送種類が存在した場合は、前記放送種類の中から、直近で選択されていた前記放送種類を選択する請求項８に記載の受信装置。
【請求項１０】
前記チャンネル選択手段は、前記視聴頻度回数が大きい前記チャンネルを選択する際、前記視聴頻度回数が同一の前記チャンネルが存在した場合は、これらの中から直近で選択されていた前記チャンネルを選択する請求項７乃至請求項９のいずれか１項に記載の受信装置。
【発明の詳細な説明】
【技術分野】
【０００１】
本発明の実施形態は、デジタル放送を受信する受信装置に関する。
【背景技術】
【０００２】
従来、デジタル放送を受信するテレビジョン、ハードディスクレコーダや光ディスクレコーダ等の受信装置で、これらの機器の電源をオン（On、投入）した際に選択されるチャンネルは、電源をオフ（Off、遮断）した際に選択されていたチャンネルとなる場合が多い。しかし、このチャンネルは利用者の所望のチャンネルと異なる場合がある。このような場合には利用者はチャンネルを選択し直す操作が必要となる。
【０００３】
電源をオフした際に選択されていたチャンネルと視聴者の視聴履歴を記憶して、電源を投入した際に、電源をオフした際に選択されていたチャンネルと視聴履歴に応じたチャンネルとを同時に複数の映像を画面に表示する画像表示装置が考案されている。この場合にも利用者は、画面に表示される番組を選択する操作が必要となる。
【先行技術文献】
【特許文献】
【０００４】
【特許文献１】特開２００３−９０１６号公報
【発明の概要】
【発明が解決しようとする課題】
【０００５】
テレビジョン、レコーダ等の受信装置で、これらの機器の電源をオンした際に利用者が所望するチャンネルが表示されれば、利用者はチャンネルを選択し直す操作が不要となり、利用者にとって都合が良い。
【０００６】
本発明の目的は、上記したような事情に鑑み成されたものであって、デジタル放送を受信する受信装置において、電源が投入された際に利用者の視聴履歴に基づいたチャンネルの番組を出力し、番組選択やチャンネル切り替えの動作を少なくすることのできる受信装置を提供することである。
【課題を解決するための手段】
【０００７】
上記目的を達成するために、実施形態によれば、受信装置は、放送番組を受信する受信手段と、前記放送番組の視聴履歴情報を記憶する視聴履歴記憶手段と、電源が投入された際に出力される番組のチャンネルを前記視聴履歴情報に基づいて１個選択するチャンネル選択手段とを有する。
【図面の簡単な説明】
【０００８】
【図１】実施形態に係る受信装置の構成を示すブロック図。
【図２】視聴頻度回数カウント処理におけるカウントの方法を説明する図。
【図３】視聴頻度回数のテーブルの例を示した図。
【図４】視聴頻度回数カウント処理の動作手順を示したフローチャート。
【図５】電源オフの直前に視聴していた放送種類、チャンネル、曜日、時間帯のテーブルの例を示した図。
【図６】チャンネル選択処理の動作手順を示したフローチャート。
【発明を実施するための形態】
【０００９】
以下実施形態について図面を参照しながら説明する。図１は、実施形態の受信装置１の構成を示したブロック図である。受信装置１は、デジタル放送を受信可能であって、画面に放送番組の映像を表示するデジタルテレビ、あるいは、デジタル放送を受信可能であって、放送番組を記録し、放送番組の映像音声情報をデジタルテレビ等に出力するＤＶＤレコーダ、あるいはBlu-ray（登録商標）レコーダ等の受信装置である。
【００１０】
アンテナ２は、放送局３０から送信された放送電波を受信するための地上デジタル放送あるいは衛星デジタル放送用のアンテナである。チューナ３は、地上デジタル放送、衛星デジタル放送あるいはケーブルテレビ放送の放送信号の中から所望のチャンネルの放送信号を選局する。チューナ３は、複数のチューナユニットから構成されており、同時に複数の放送を受信することができる。アンテナ端子３ａはアンテナ２が接続される端子である。
【００１１】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。また、復調器４は、送受信部２３を介してインターネット等のネットワーク３１から受信したＩＰ放送を復調する。
【００１２】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１３】
また、デコード処理部５は、記録装置６から入力された映像データ及び音声データをデコードする。更に、デコード処理部５は、外部記憶装置２２から入力された映像データ及び音声データをデコードする機能を有する。
【００１４】
記録装置６は、ＨＤＤ（Hard Disk Drive）、ＳＳＤ（Solid State Drive）あるいはＯＤＤ（Optical Disc Drive）等を含む記録手段である。記録装置６には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部５でデコードされる。
【００１５】
重畳処理部７は、デコード処理部５からの映像データと、バス１３を介して転送されるデータ放送やＧＵＩ（Graphical User Interface）制御手段２５によるウィンドウ描画をプレーン管理して、映像データとの重ね合わせを行い、映像処理部８に送る。
【００１６】
映像処理部８は、表示装置９で表示可能なフォーマット（画素数、フレーム周波数、走査方式）に変換したり、表示色を任意に調整したりして、表示装置９に出力して映像を画面１０に表示させる。
【００１７】
音声処理部１１は、デコード処理部５から伝送されたデジタルの音声データを、スピーカ１２あるいはイヤーホーンで再生可能なアナログ音声信号に変換した後、スピーカ１２あるいはイヤーホーンに出力して音声を再生させる。なお、表示装置９やスピーカ１２は受信装置１の外部にあってもよい。また受信装置１と別の筐体に納められていてもよい。
【００１８】
受信装置１は、上記した受信動作を含むその全ての動作を制御部１４によって統括的に制御されている。制御部１４はＭＰＵ（Micro Processing Unit）１５が搭載されており、バス１３を介して接続された各構成要素を制御する。
【００１９】
ＲＡＭ（Random Access Memory）１６は、制御部１４のデータ処理に必要な各種データを格納するリードライトメモリであり、映像データ等を格納するバッファメモリとして動作する。ＲＯＭ（Read Only Memory）１７は読出し専用メモリであり、ＭＰＵ１５が実行する制御のプログラムなどを格納している。
【００２０】
フラッシュメモリ１８は、書き換え可能であり、電源を切ってもデータが消えない不揮発性の半導体メモリである。フラッシュメモリ１８は、視聴履歴情報、録画番組情報、録画予約情報等を記憶する機能を有する。
【００２１】
操作受信部１９は、操作機器２０から送信される操作信号を受信し、制御部１４に転送する。操作機器２０は、例えば、赤外線あるいはBluetooth（登録商標）等による無線通信を利用したリモコン（リモートコントローラ、remote controller）、有線式あるいは無線式キーボード等であり、操作信号を送出する。操作受信部１９は、これらリモコン、キーボード等から操作信号を受信する。
【００２２】
外部インターフェース２１は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、あるいはＨＤＭＩ（High Definition Multimedia Interface）（登録商標）等のインターフェースであり、ＵＳＢメモリやＵＳＢ外部機器、ＳＤメモリカード、ＨＤＤ、ＳＳＤ、ＣＤ、ＤＶＤ、Blu-ray（登録商標）記録再生機等のドライブ類を含む外部記憶装置２２が接続される。外部記憶装置端子２１ａは外部記憶装置２２が接続される端子である。
【００２３】
外部インターフェース２１を介して外部記憶装置２２に放送番組を記録することができる。記録装置６または外部記憶装置２２のどちらに記録するかを利用者が選択できる。また、受信装置１は、外部記憶装置２２に記録された映像または音声情報を再生することができる。
【００２４】
受信装置１は、送受信部２３を介してインターネット等のネットワーク３１に接続されている。これにより、受信装置１は、ネットワーク３１上にあるサーバ３２等の機器と送受信部２３を介して情報伝送を行なうことができる。ネットワーク端子２３ａはネットワーク３１が接続される端子である。
【００２５】
図１において、制御部１４は、記録管理手段２４、ＧＵＩ制御手段２５、視聴履歴記憶手段２６、チャンネル選択手段２７の機能を有する。これらの機能は、制御部１４のＭＰＵ１５が実行するアプリケーションであり、通常はＲＯＭ１６に格納されており、使用時にはＭＰＵ１５によって読み出され実行される。
【００２６】
記録管理手段２４は、利用者の要求に基づいて設定された放送番組の予約情報を管理する。また、記録管理手段２４は、予約された番組の記録処理、また視聴中の番組の記録処理を行う。さらに、記録管理手段２４は、記録装置６に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ１８、または記録装置６に記録し、録画番組の情報を管理する。記録管理手段２４は、録画番組リストの生成、録画番組の再生や削除、編集等の処理を実行する。
【００２７】
ＧＵＩ制御手段２５は、ＧＵＩ（Graphical User Interface）データを生成し、この生成されたＧＵＩデータはバス１３を介して重畳処理部７へ送信される。重畳処理部７に送付されたＧＵＩデータは、例えば放送番組の映像データに重畳処理されたり、あるいはＧＵＩ単独画面として処理され、映像処理部８へ伝送される。
【００２８】
視聴履歴記憶手段２６は、利用者の放送番組の視聴履歴を記憶する手段である。視聴履歴記憶手段２６は、視聴頻度回数カウント処理によって、放送番組の利用者の視聴履歴情報を放送種類、チャンネル、曜日、時間帯別に取得、集計し、視聴履歴情報をフラッシュメモリ１８に記憶させる機能を有する。放送種類とは、例えば、地上デジタル放送、ＢＳ（Broadcasting Satellite）デジタル放送、ＣＳ（Communication Satellite）デジタル放送、その他の放送（例えば、ＣＡＴＶ（Community Antenna Television）（ケーブルテレビ）やネットワーク３１から受信したＩＰ（Internet Protocol）放送等）と言った放送波の種類である。
【００２９】
視聴履歴記憶手段２６は、第１の所定時間（例えば、１０分間）連続して同じチャンネルを選択していた場合に該チャンネルの視聴頻度回数を１回としてカウントし、従来から累積されたカウント値に加算する。この第１の所定時間をカウント時間と称する。カウント時間は利用者が設定できる。
【００３０】
視聴履歴記憶手段２６は、１日を第２の所定時間（例えば、３０分間）の間隔で複数の時間帯に分割し、該時間帯毎に視聴頻度回数をカウントし、従来から累積されたカウント値に加算する。視聴頻度回数は曜日毎に加算される。この第２の所定時間を分割時間と称する。分割時間は利用者が設定できる。但し、カウント時間（第１の所定時間）は、分割時間（第２の所定時間）以下である。
【００３１】
視聴履歴記憶手段２６は、連続した２個の時間帯に跨ってカウント時間（たとえば、１０分間）連続してチャンネルを選択していた場合に連続した２個の時間帯の両方において視聴頻度回数を１回としてカウントし、従来から累積されたそれぞれのカウント値に加算する。
【００３２】
視聴履歴記憶手段２６は、第３の所定時間（例えば、４週間）視聴履歴を収集すると、視聴履歴をリセットするリセット機能を有する。リセットとは、視聴頻度回数を全てゼロにして始動の状態に戻すことである。この第３の時間をリセット時間と称する。リセット時間の経過直後、あるいは利用者がリセット時間を再設定した直後から視聴頻度回数のカウントが新たに開始され、リセット時間が経過したら再びリセットされる。リセット時間は時間制限の無い継続状態である場合を含む。
【００３３】
図２は、視聴履歴記憶手段２６の視聴頻度回数カウント処理におけるカウントの方法を説明する図である。例えば、カウント時間（第１の所定時間）を１０分、分割時間（第２の所定時間）を３０分、リセット時間（第３の所定時間）を４週間と設定されたとする。図２の左側に時間帯を示す。８時００分から８時２９分（８時３０分未満）、８時３０分から８時５９分（９時００分未満）、９時００分から９時２９分（９時３０分未満）の３個の時間帯が示されている。
【００３４】
利用者が一つのチャンネルについて午前８時７分から午前８時５０分まで視聴した様子を、視聴時間を表す矢印Ａで示す。カウント時間を矢印Ｂで示す。連続してカウント時間を視聴した場合に視聴頻度回数を１回としてカウントする。また、連続した２個の前記時間帯に跨ってカウント時間を視聴した場合に連続した２個の時間帯の両方において視聴頻度回数を１回としてカウントする。
【００３５】
この場合の視聴頻度回数は、８時００分から８時２９分（８時３０分未満）の時間帯においては３回、８時３０分から８時５９分（９時００分未満）の時間帯においては２回、９時００分から９時２９分の時間帯においては０（ゼロ）回である。この新たにカウントされた視聴頻度回数が同じ放送種類、チャンネル、曜日、時間帯の従来から累積された視聴頻度回数に加算される。
【００３６】
図３は、フラッシュメモリ１８に記憶される視聴頻度回数のテーブルの例を示した図である。横方向に各放送種類、各チャンネル、各曜日、縦方向に各時間帯が配置されている。各放送種類は、例えば、地デジ放送、ＢＳ放送、ＣＳ放送、その他の放送と言った放送波の種類である。各チャンネルは、放送種類毎に含まれるチャンネルである。例えば、地デジ放送ではＣｈＡ、ＣｈＢ、ＣｈＣ、ＢＳ放送ではＢＳ-Ａ、ＢＳ-Ｂ、ＢＳ-Ｃと言ったチャンネルである。チャンネルの数は放送種類によって異なる。また同じ放送種類でも地域によってチャンネル数やチャンネル番号が異なる場合がある。各曜日は、チャンネル毎に日曜日から土曜日まで曜日毎に分けられている。
【００３７】
時間帯は、例えば、分割時間が３０分の場合には、毎時００分から２９分（毎時３０分未満）までと３０分から５９分（毎正時未満）までに分割される。従って、１日の０時００分から２３時５９分（翌日の０時００分未満）までが４８分割される。図３は、分割時間が３０分の例である。
【００３８】
其々のセル（cell）には、放送種類、チャンネル、曜日、時間帯毎の視聴頻度回数が記録されている。例えば、月曜の８時００分から８時２９分（８時３０分未満）の時間帯において、ＣｈＡは１０回、ＣｈＢは３回、ＣｈＣは２回であり、月曜の８時３０分から８時５９分（９時００分未満）の時間帯において、ＣｈＡは２回、ＣｈＢは１０回、ＣｈＣは１回であり、月曜の９時００分から９時２９分（９時３０分未満）の時間帯において、ＣｈＡは１回、ＣｈＢは３回、ＣｈＣは８回である。視聴頻度回数は、視聴頻度回数カウント処理によって、受信装置１の電源がオン・オフされる度に更新され、フラッシュメモリ１８に記憶される。
【００３９】
図４は、視聴頻度回数カウント処理の動作手順を示したフローチャートである。電源オン直後に視聴頻度回数カウント処理が開始される。Ｓ１１において、視聴履歴記憶手段２６は、フラッシュメモリ１８から放送種類、チャンネル、曜日、時間帯毎の視聴履歴情報を読み出す。
【００４０】
Ｓ１２において、視聴履歴記憶手段２６は、現在の時刻をＲＡＭ１６のＴｉｍｅ−Ａの記憶領域に保存する。Ｓ１３において、現在の放送種類とチャンネルをＲＡＭ１６のＣｈａｎｎｅｌ-Ａの記憶領域に保存する。Ｓ１４において、現在の時刻をＲＡＭ１６のＴｉｍｅ−Ｂの記憶領域に保存する。
【００４１】
Ｓ１５において、視聴履歴記憶手段２６は、チャンネルが切り替えられたかを判定する。現在の放送種類、チャンネルがＣｈａｎｎｅｌ-Ａと同じかどうか（Ｃｈａｎｎｅｌ-Ａのままであるか）を判定する。同じであればＳ１６へ移る。同じでなければ、Ｓ１７へ移る。
【００４２】
Ｓ１７において、視聴履歴記憶手段２６は、Ｔｉｍｅ−Ａの記憶領域を更新する。Ｓ１８において、Ｃｈａｎｎｅｌ-Ａの記憶領域を変更後の放送種類とチャンネルに更新する。
【００４３】
Ｓ１６において、視聴履歴記憶手段２６は、Ｔｉｍｅ−ＡとＴｉｍｅ−Ｂの差がカウント時間（例えば１０分）以上あるかどうかを判定する。カウント時間以上あれば、Ｓ１９へ移る。Ｓ１９において、視聴履歴記憶手段２６は、Ｔｉｍｅ−Ａを更新する。カウント時間以上なければ、Ｓ２３へ移り、電源がオフされたかを判定する。
【００４４】
Ｓ２０において、視聴履歴記憶手段２６は、連続した２個の時間帯に跨ってカウント時間（例えば１０分）連続してチャンネルを視聴していたかを判定する。連続してチャンネルを視聴していなければ、Ｓ２１へ移る。連続してチャンネルを視聴していたならば、Ｓ２２へ移って、２連続した個の時間帯の両方において視聴頻度回数を１回としてカウントし、Ｓ２１へ移る。
【００４５】
Ｓ２１において、視聴履歴記憶手段２６は、現在の放送種類、チャンネル、曜日、時間帯において従来から累積された視聴頻度回数のカウント値に加算する。
【００４６】
Ｓ２３において、視聴履歴記憶手段２６は、受信装置１の電源がオフされたかを判定する。電源がオフされたならば、Ｓ２４へ移る。電源がオフされないならば、Ｓ１４へ戻る。Ｓ２４において、視聴履歴記憶手段２６は、更新した放送種類のカウントをフラッシュメモリ１８に保存する。Ｓ２５において、視聴履歴記憶手段２６は、更新したチャンネルのカウントをフラッシュメモリ１８に保存する。
【００４７】
Ｓ２６において、視聴履歴記憶手段２６は、電源オフの直前に視聴していた放送種類、チャンネル、曜日、時間帯をフラッシュメモリ１８に保存する。同じ曜日、時間帯で、他の放送種類、チャンネルに登録がある場合はその情報をクリア（数値が与えられていない状態にすること）しておく。視聴頻度回数カウント処理を終了する。
【００４８】
図５は、電源オフの直前に視聴していた放送種類、チャンネル、曜日、時間帯のテーブルの例を示した図である。視聴履歴記憶手段２６は、受信装置１の電源オフ時にそれまで利用者が視聴していた放送種類、チャンネル、曜日、時間帯をフラッシュメモリ１８に記憶させる。横方向に各放送種類、各チャンネル、各曜日、縦方向に各時間帯が配置されており、形態としては図３で示した視聴頻度回数のテーブルの例と同様である。
【００４９】
図５において、白丸印（○）は、その放送種類、チャンネル、曜日、時間帯において過去に電源がオフされたことを示す。黒丸印（●）は、直近の電源オフ時の履歴であり、白丸印は、クリアされた状態である。図５においては、黒丸印は地デジ放送、ＣｈＣ、月曜日、９時０分から９時２９分（９時３０分未満）までの時間帯のセルに表示されており、直近の電源オフはこの放送種類、チャンネル、曜日、時間帯において為されたものである。
【００５０】
曜日別、時間帯別で管理するため、受信装置１の電源をオフする直前まで視聴していた放送種類、チャンネルの履歴は、放送種類、チャンネル、曜日、時間帯で組み合わせた場合では、１つしか有り得ない。従って、以前の履歴で既に同じ曜日、時間帯で他の放送種類、チャンネルに履歴が残っている場合は、その履歴をクリアしておく必要がある。
【００５１】
チャンネル選択手段２７は、受信装置１の電源が投入された際に出力される番組のチャンネルを視聴履歴情報に基づいて１個選択する手段である。出力される番組とは、例えば、デジタルテレビであれば画面に映像が出画される番組のことであり、ＤＶＤレコーダやBlu-rayレコーダであれば、映像音声出力端子に映像音声信号が出力される番組のことである。
【００５２】
チャンネル選択手段２７は、視聴履歴情報から放送種類毎の視聴頻度平均値を算出する。視聴頻度平均値は、放送波の種類（例えば地デジ、ＢＳ、ＣＳ放送等）に含まれるチャンネル毎の視聴頻度回数を合計し、それをチャンネル数で割った平均値である。例えば、地デジ放送の視聴頻度平均値は、地デジ放送のチャンネル毎の同じ曜日の同じ時間帯の視聴頻度回数を合計し、地デジのチャンネル数を除数として除算し算出する。但し、全く視聴しないチャンネルを母数に含めると、チャンネル数の多い放送種類の視聴頻度平均値が小さくなってしまうので、視聴頻度回数の値が０の場合は、そのチャンネルを母数から除いて頻度平均値を算出する。従って視聴頻度回数の値が１以上のチャンネルの視聴頻度回数を合計し、視聴頻度回数の値が１以上のチャンネル数を除数として除算する。また一つの放送種類の全てのチャンネルにおいて視聴頻度回数がゼロである場合は、視聴頻度平均値はゼロである。
【００５３】
例えば、図３に示した視聴履歴情報を用いた場合には、受信装置１の電源をオンした時間が木曜日の８時０分から８時２９分の時間帯であれば、地デジ放送の視聴頻度回数は、ＣｈＡが１０回、ＣｈＢが３回、ＣｈＣが２回であるので、地デジ放送の視聴頻度平均値は１５／３より５である。ＢＳ放送、ＣＳ放送、その他の放送については、どのチャンネルについても視聴頻度回数がゼロであるため、視聴頻度平均値はゼロである。
【００５４】
チャンネル選択手段２７は、出力される番組のチャンネルを視聴履歴情報に基づいて１個選択する際、放送種類の中から視聴頻度平均値の大きい放送種類を選択し、次に視聴頻度平均値の大きい放送種類の中から視聴頻度回数の大きいチャンネルを選択する。チャンネル選択手段２７は、視聴頻度平均値の大きい放送種類を選択する際、視聴頻度平均値が同じ放送種類が存在した場合は、放送種類の中から、直近に選択されていた放送種類を選択する。チャンネル選択手段２７は、視聴頻度回数が大きいチャンネルを選択する際、視聴頻度回数が同じチャンネルが存在した場合は、それらの中から、直近に選択されていたチャンネルを選択する。
【００５５】
図６は、チャンネル選択処理の動作手順を示したフローチャートである。チャンネル選択手段２７は、受信装置１の電源がオンされた際にチャンネル選択処理を開始する。Ｓ３１において、チャンネル選択手段２７は、視聴履歴情報を不揮発メモリから読み出す。具体的には、フラッシュメモリ１８から、放送種類、チャンネル、曜日、時間帯毎の視聴頻度回数を読み出して、ＲＡＭ１６に保持させる。
【００５６】
Ｓ３２において、チャンネル選択手段２７は、現在の曜日と時刻を読み出す。曜日と時刻は受信装置１に内蔵された図示しない時計（タイマー）から読み出す。Ｓ３３において、チャンネル選択手段２７は、現在の曜日と時刻と同じ曜日と時間帯の放送種類毎の視聴頻度平均値を算出する。
【００５７】
Ｓ３４において、最も視聴頻度平均値の大きい放送種類を検索する。Ｓ３５において、最も視聴頻度平均値の大きい放送種類が複数あるかを判定する。同じ頻度の放送種類が複数ある場合には、Ｓ３６へ移り、複数ない場合には、Ｓ３９へ移る。
【００５８】
Ｓ３６において、チャンネル選択手段２７は、受信機１が電源オフされる直前まで視聴していた番組の放送種類の履歴をフラッシュメモリ１８から読み出す。Ｓ３７において、チャンネル選択手段２７は、Ｓ３４で検索された複数の最も視聴頻度平均値の大きい放送種類の中で、電源オフされる直前まで視聴していた放送種類に該当する放送種類があるかを判定する。該当する放送種類がないならば、Ｓ３８へ移る。該当する放送種類があるならば、該等する放送種類を選択してＳ３９へ移る。
【００５９】
Ｓ３８において、チャンネル選択手段２７は、Ｓ３４で検索された複数の最も視聴頻度平均値の大きい放送種類の中から、直近の電源オフ以前で視聴されていた直近の放送種類を選択する。つまり複数の最も視聴頻度平均値の大きい放送種類の中から、現時点から最も近い時点で視聴した放送種類を選択する。
【００６０】
Ｓ３９において、選択された放送種類の中から、上記放送種類の中で最も視聴頻度回数の大きいチャンネルを検索する。Ｓ４０において、最も視聴頻度回数の大きいチャンネルが複数あるかを判定する。同じ頻度のチャンネルが複数ある場合には、Ｓ４１へ移り、複数ない場合には、Ｓ４６へ移る。
【００６１】
Ｓ４１において、チャンネル選択手段２７は、電源オフされる直前まで視聴していたチャンネルの履歴をフラッシュメモリ１８から読み出さす。Ｓ４２において、チャンネル選択手段２７は、Ｓ３９で検索された複数の最も視聴頻度回数の大きいチャンネルの中で、電源オフされる直前まで視聴していたチャンネルに該当するチャンネルがあるかを判定する。該当するチャンネルがないならば、Ｓ４３へ移る。該当するチャンネルがあるならば、該等するチャンネルを選択してＳ４６へ移る。
【００６２】
Ｓ４３において、チャンネル選択手段２７は、受信機１が電源オンされた時のチャンネル設定は電源がオフされた時のチャンネルかを判定する。電源がオフされた時のチャンネルではないならば、Ｓ４４へ移り、電源がオフされた時のチャンネルならばＳ４５へ移る。
【００６３】
Ｓ４４において、チャンネル選択手段２７は、設定メニューで決められたチャンネルを読み出す。受信機１の初期設定メニューの中の電源がオンされた時のチャンネル設定において、設定されたチャンネル（例えば、地デジ放送のＣｈＣ）をフラッシュメモリ１８から読み出す。利用者によってこれが設定されていない場合は、デフォルトの設定値（例えば、電源がオフされた時のチャンネル）となる。
【００６４】
Ｓ４５において、チャンネル選択手段２７は、読み出した履歴から時間帯、曜日に関係無く電源がオフされた時のチャンネルを検出する。
【００６５】
Ｓ４６において、チャンネル選択手段２７は、出力するチャンネルを決定し、制御部１４に伝達する。制御部１４は、例えば、デジタルテレビであれば画面に番組を出画し、ＤＶＤレコーダやBlu-rayレコーダであれば、映像音声出力端子に番組の映像音声信号を出力する。チャンネル選択処理を終了する。
【００６６】
以上のように、視聴履歴記憶手段２６が、視聴頻度回数カウント処理によって、放送番組の利用者の視聴履歴情報を放送種類、チャンネル、曜日、時間帯別に取得、集計し、視聴履歴情報をフラッシュメモリ１８に記憶させ、チャンネル選択手段２７が、受信装置１の電源が投入された際に、視聴履歴情報に基づいて放送種類の中から視聴頻度平均値の大きい放送種類を選択し、視聴頻度平均値の大きい放送種類の中から視聴頻度回数の大きいチャンネルを１個選択し、画面に映像を出画したり映像音声信号を出力することによって、受信装置１の電源が投入された際に、利用者の視聴履歴に基づいたチャンネルの番組を出力できるため、番組選択やチャンネル切り替えの動作をする必要が少なくなり、利用者の生活リズムに合ったチャンネル選択あるいは番組選択が可能となる。
【００６７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６８】
１  受信装置
２  アンテナ
３  チューナ
４  復調器
５  デコード処理部
６  記録装置
７  重畳処理部
８  映像処理部
９  表示装置
１０  画面
１１  音声処理部
１２  スピーカ
１３  バス
１４  制御部
１５  ＭＰＵ
１６  ＲＡＭ
１７  ＲＯＭ
１８  フラッシュメモリ
１９  操作受信部
２０  操作機器
２１  外部インターフェース
２２  外部記憶装置
２３  送受信部
２４  記録管理手段
２５  ＧＵＩ制御手段
２６  視聴履歴記憶手段
２７  チャンネル選択手段
３０  放送局
３１  ネットワーク
３２  サーバ
【図１】
2012138852.tif 000003
【図２】
2012138852.tif 000004
【図３】
2012138852.tif 000005
【図４】
2012138852.tif 000006
【図５】
2012138852.tif 000007
【図６】
2012138852.tif 000008